(57)【要約】【課題】複数のエレベータに対して個人認識装置を共通化することで設備費を抑えると共に、セキュリティ機能を維持しつつ利用しやすいエレベータを提供する。【解決手段】図２の群管理マイコンの処理において、個人認識装置が操作されれば、その居住階情報を群管理のメモリに格納する。その後、ホール呼び釦の操作を検出（ステップ1３0）すると、一般のホール呼び釦かそれとも特定号機用ホール呼び釦かを判定する（ステップ1４0）。一般ホール呼び釦であればステップ160にて、そのホール呼び釦にサービス可能なエレベータ、本実施例では全号機に居住階情報を送信し、特定号機用ホール呼び釦であれば特定号機のみに居住階情報を送信（ステップ1５0）する。【選択図】図２
2011093703.tif 000002
【特許請求の範囲】
【請求項１】
並設された複数台のエレベータと、各エレベータを制御する号機制御装置と、上記複数台のエレベータを群管理する群管理制御装置とを備え、上記複数台のエレベータが並設されたエレベータホールに、一般のホール呼び釦、特定のエレベータ向けホール呼び釦、及び複数台のエレベータに共通する個人認識装置を備えたエレベータ制御システムにおいて、上記個人認識装置からの居住階情報を上記群管理制御装置に伝達する手段を備え、上記群管理制御装置は、上記居住階情報が伝達され、かつ当該居住階情報を発した個人認識装置が配置されたホールの呼び釦が操作されたとき、当該ホール呼びにサービス可能なエレベータの上記号機制御装置に上記居住階情報を伝達するようにしたことを特徴とするエレベータ制御システム。
【請求項２】
請求項１において、前記居住階情報を伝達された号機制御装置は、当該ホール呼び階に到着したとき、前記伝達された居住階情報が示す階の行き先呼びを自動登録、又は当該居住階情報が示す階の行き先呼び登録制限を解除することを特徴とするエレベータ制御システム。
【請求項３】
並設された複数台のエレベータと、各エレベータを制御する号機制御装置と、上記複数台のエレベータを群管理する群管理制御装置とを備え、上記複数台のエレベータが並設されたエレベータホールに、一般のホール呼び釦、特定のエレベータ向けホール呼び釦、及び複数台のエレベータに共通する個人認識装置を配置し、当該個人認識装置が配置されたホール呼びの登録を制限するエレベータ制御システムにおいて、上記個人認識装置からの居住階情報を上記群管理制御装置に伝達する手段を備え、上記群管理制御装置は、居住階情報が伝達されたとき、当該居住階情報を発した個人認識装置が配置されたホールの上記ホール呼び登録の制限を解除し、かつ当該ホールの呼び釦が操作されたとき、当該ホール呼びにサービス可能なエレベータの上記号機制御装置に上記居住階情報を伝達するようにしたことを特徴とするエレベータ制御システム。
【請求項４】
請求項３において、前記居住階情報を伝達された号機制御装置は、当該ホール呼び階に到着したとき、前記伝達された居住階情報が示す階の行き先呼びを自動登録、又は当該居住階情報が示す階の行き先呼び登録制限を解除することを特徴とするエレベータ制御システム。
【発明の詳細な説明】
【技術分野】
【０００１】
本発明はエレベータ制御システムに関し、特に、エレベータホールに個人認識装置を設けてセキュリティ機能を高めたエレベータ制御システムの改良に関する。
【背景技術】
【０００２】
近年、エレベータ分野においてもセキュリティが重視され、例えば集合住宅用建物ではエントランス階に個人認識装置を設置して不審者に対する対応を強化すると共に、この個人認識装置とエレベータの運転とを関連付けることで、居住者にとっては利用し易くセキュリティに強いシステムが提案されつつある。
【０００３】
例えば、特許文献１では、玄関ホールに個人認識用のキーリーダを設置し、このキーリーダで住人を認証し、かつその階のホール呼び釦が操作されたことを条件に、その階のホール呼びを登録することが記載されている。更に、乗りかごが到着した際には、その住人の居住階の行き先呼びを登録すること等も提案されている。
【０００４】
このような手法は、エレベータが一台の場合、或いは並設された複数台のエレベータに対して個人認識装置が夫々設置されている場合には、個人認識装置で認識された人とエレベータ利用者との関係が１対１なので有効である。即ち、各エレベータは個人認識装置によって予め利用する人を特定できるので、乗りかごが到着した後の行き先呼び等を自動的に登録することも可能であり、また、一般のホール呼び釦の他に車椅子用の呼び釦を備えている場合であっても、その利用者を特定できるので適切なエレベータをサービスさせることができる。
【先行技術文献】
【特許文献】
【０００５】
【特許文献１】特開2007-246257号公報
【発明の概要】
【発明が解決しようとする課題】
【０００６】
前記したようにエレベータごとに個人認識装置を設置することで適切なサービスが可能となるが、複数台のエレベータに夫々専用の個人認識装置を設置すると設備費が高価となり、また、個人認識装置の設置スペースも問題となる。
【０００７】
そこで本発明の目的とするところは、併設された複数のエレベータに対して個人認識装置を共通化することで設備費を抑えると共に、セキュリティ機能を維持しつつ利用しやすいエレベータ制御システムを提供することにある。
【課題を解決するための手段】
【０００８】
前記目的を達成するために、本発明の特徴は、上記複数台のエレベータが並設されたエレベータホールに、一般のホール呼び釦と特定のエレベータ向けホール呼び釦、及び複数台のエレベータに共通する個人認識装置を備え、上記個人認識装置からの居住階情報を上記複数台のエレベータを群管理する群管理制御装置に伝達する手段を設けるとともに、上記群管理制御装置は、上記居住階情報が伝達され、かつその階のホール呼び釦が操作されたとき、当該ホール呼びにサービス可能なエレベータの上記号機制御装置に上記居住階情報を伝達するようにしたところにある。
【０００９】
斯かる特徴は、個人認識装置を設置した階のホール呼び登録を制限し、その階の個人認識装置が操作されたことを条件に上記ホール呼びの登録制限を解除することでセキュリティを高めたエレベータ制御システムに対しても同様に適用することができるが、それらについては以下述べる実施の態様で述べる。
【発明の効果】
【００１０】
本発明によれば、複数台のエレベータを並設し、一般のホール呼び釦と特定のエレベータ向けホール呼び釦を備えたエレベータ制御システムにおいて、個人認識装置を共通化したので設備費を軽減するができ、かつ、この個人認識装置からの居住階情報はそのホール呼びをサービス可能なエレベータの号機制御装置にのみ伝達されるので、セキュリティ機能を維持しつつ利用し易いエレベータサービスを提供することができる。
【図面の簡単な説明】
【００１１】
【図１】本発明による群管理エレベータ制御システムの一実施例である。
【図２】本発明による群管理マイコン部の一処理フロー図である。
【図３】本発明による号機制御部の一処理フロー図である。
【発明を実施するための形態】
【００１２】
以下、本発明を図示する一実施例を用いて説明する。なお、本実施例では3台の並設エレベータで群管理制御し、個人認識装置は1つでエントランスフロア（ここでは1階）に設けられている場合を例に上げて説明する。また、この個人認識装置としては、前記特許文献１にあるようなキーリーダ或いは指紋認証等、多様なものが提案されているが、利用する個人を認識できる装置で有れば本発明に適宜利用できる。
【００１３】
また、ホール呼び釦のうち、３号機に付近に設置されたホール呼び釦が特定号機用釦とし、３号機が特定号機に設定されているものとする。例えば、車椅子用呼び釦で、３号機が車椅子用エレベータの場合である。この特定号機用ホール呼び釦の例としては、上記車椅子用呼び釦の他、特定のVIP階床ゆきの呼び釦、或いは乗り継ぎ階床行きの呼び釦等があるが、いずれの場合でも適用できる。
【００１４】
図１は本発明による群管理エレベータ制御システムの一実施例であって、その系統構成図を示す。図において、群管理制御装置MP1内に設置される群管理マイコンボードGMPU1は、多重伝送路NEL1により号機制御装置CP1〜CP3内部の号機マイコンボードCMPU1〜CMPU3と接続される。
【００１５】
群管理マイコンボードGMPU1には、セキュリテイーデータ多重伝送路SEL1を介してセキュリティ制御装置SE1が接続され、このセキュリティ制御装置SE1は昇降路内セキュリティデータ多重伝送路SEL2を介してエレベーターホール（本実施例では1階ホール）に設置される個人認識装置CR1を制御している。号機マイコンボードCMPU1〜CMPU3はそれぞれホール多重伝送路HL1〜HL3と、かご多重伝送路CL1〜CL3を介して、ホール端末HT11〜HT33、かご端末CT1〜CT3を制御する。
【００１６】
ホール端末HT11〜HT33にはホール呼び釦HB11〜HB33が接続され、かご端末CT1〜CT3には乗りかご内に設けられた行き先階釦CD1〜CD3が接続されている。ここでは、３号機の乗り場付近に設置されたホール呼び釦HB31、HB32、HB33が特定号機用ホール呼び釦であり、この呼びに対しては３号機のみがサービス可能のエレベータである。
【００１７】
このように、本実施例では3台並設の群管理エレベータに対して１つの個人認識装置CR1を共用し、この１つの個人認識装置CR1からの情報をセキュリティ制御装置SE1で制御することで、その利用者からの居住階情報等を群管理マイコンボードGMPU1に伝達するように構成している。
【００１８】
次に、共有化された個人認識装置CR1からの居住階情報に対する群管理マイコンボードGMPU1及び号機マイコンボードCMPU1〜CMPU3の処理内容について説明する。
【００１９】
先ず群管理マイコンボードGMPU1での個人認識情報の処理について図２を用いて説明する。ステップ100では個人認識装置CR1が操作されたか否かの検出を行う。個人認識装置CR1が操作されたのであればステップ110に移行し、受信した居住階情報を群管理マイコンボードGMPU1のメモリに格納する。次にステップ120において、居住階情報が格納されているか否かを確認する。格納されていればステップ130へ移行する。
【００２０】
ステップ130では、個人認識装置CR1が設置された一階のホール呼び釦の操作有無を検出する。ホール呼び釦の操作を検出したならば、一般のホール呼び釦かそれとも特定号機用ホール呼び釦かを判定する。一般ホール呼び釦であればステップ160にて、そのホール呼び釦にサービス可能なエレベータ、本実施例では１〜３号機の号機マイコンボードCMPU1〜CMPU3に居住階情報を送信する。
【００２１】
他方、特定号機用ホール呼び釦HB31であれば、ステップ150で対応する特定号機、ここでは３号機のマイコンボードCMPU3にのみに居住階情報を送信する。この居住階情報の送信処理が完了すれば、ステップ170で群管理マイコンボードGMPU1に格納中の居住階情報を消去する。
【００２２】
以上のように、群管理マイコンボードGMPU1は、居住階情報を受信した後にホール呼びを検出すると、そのホール呼びにサービス可能なエレベータには居住階情報を送信するので、個人認識装置CR1を共有することができ、かつサービス不能な号機には居住階情報が伝送されないのでセキュリティ面の低下も軽減できる。
【００２３】
次に、号機マイコンボードCMPU1〜CMPU3における居住階情報の処理内容について図３を用いて説明する。ステップ200では群管理マイコンボードGMPU1から送信される居住階情報を受信したか否かを検出する。受信したのであればステップ210で号機マイコンボードCMPU1〜CMPU3のメモリに居住階情報を格納する。
【００２４】
ステップ220ではエントランス階（本実施例では1階）に到着したか否かを判定し、到着検出したのであればステップ230で、格納した居住階情報が示す階床のかご内行き先呼びを自動登録する。
【００２５】
最後にステップ240に移行して格納済みの居住階情報をクリアする。なお、このステップ240の居住階情報のクリアと同期して、そのホール呼びにサービス可能な各号機マイコンの格納済み居住階情報のクリアも行う。
【００２６】
このように、号機マイコンボードCMPU1〜CMPU3では、サービス可能な居住階情報を格納し、そのホール呼びにサービスした際には居住階情報が示す階床の行き先呼びを自動登録することで、個人認識装置CR1を共通化した場合であっても使い易さを維持することができる。
【００２７】
以上述べた実施例では、ホール呼びは個人認識装置の操作と切り離して登録可能なシステムを前提として説明した。しかし、建物によっては、個人認識装置を設置した階のホール呼びの登録を制限し、その階床に設けた個人認識装置とリンクさせることで、セキュリティを高めたエレベータ制御システムがある。このようなシステムにおいても、本発明は個人認識装置及びホール呼び釦の両方の操作を条件に、居住階情報を号機制御装置側へ送信するので、そのまま適用することができる。
【００２８】
加えて、特定の行き先呼びの登録が制限されているエレベータシステムであっても、個人認識装置で利用客が特定されれば、その利用客の居住階への行き先呼びを登録可能にする必要がある。このようなシステムでは、例えば図３のステップ２３０は、行き先呼びの登録制限を解除する処理にすることで、居住階情報が示す階床の行き先呼びを登録可能にすることができる。勿論、この様なシステムであっても図３のステップ２３０の通り、居住階情報が示す階床の行き先呼びを自動登録してもよい。
【符号の説明】
【００２９】
ＭＰ１：群管理制御装置
ＣＰ１〜ＣＰ３：号機制御装置
ＧＭＰＵ１：群管理マイコンボード
ＣＭＰＵ１〜ＣＭＰＵ３：１号機マイコンボード〜３号機マイコンボード
ＳＥ１：個人認識制御装置
ＨＴ１１〜ＨＴ３３：ホール端末
ＨＢ１１〜ＨＢ３３：ホール呼び釦
ＣＴ１〜ＣＴ３：かご端末
ＣＤ１〜ＣＤ３：かご内行き先呼び釦
ＣＬ１〜ＣＬ３：かご端末用多重伝送路
ＨＬ１〜ＨＬ３：ホール端末用多重伝送路
ＣＲ１：個人認識装置
ＳＥＬ１：セキュリティデータ多重伝送路
ＳＥＬ２：個人認識装置用多重伝送路
ＮＥＬ１：群管理制御装置用多重伝送路
【図１】
2011093703.tif 000003
【図２】
2011093703.tif 000004
【図３】
2011093703.tif 000005